(57)【要約】【課題】液晶に電圧を印加して表示を行う場合、電圧印加に伴う過渡電流を減少させて液晶表示装置内における発泡を防止し、良好な表示品位を得る。【解決手段】選択した走査電極と各信号電極との間の液晶に電圧を印加して、所望の表示を得る場合、選択期間を複数の期間に分割し、各期間毎に印加電圧を変化させる。このとき、分割した各期間が切り替わると、液晶に印加される電圧が高くなるように液晶表示装置を駆動する。選択期間を分割した各期間毎に段階的に印加電圧を上昇させることによって、電圧の変化にともなう過渡電流が減少する。この結果、液晶表示装置内での発泡が防止され、良好な表示品位が得られる。【選択図】　図１
2004004199.tif 000002
【特許請求の範囲】
【請求項１】
複数の走査電極と複数の信号電極との間に液晶を挟持する液晶表示装置の駆動方法であって、
走査電極を選択しながら走査電極を走査し、
選択した走査電極と各信号電極との間の液晶を所望の状態にするために前記液晶に電圧を印加する場合に、前記走査電極の選択期間を複数の期間に分割し、分割した各期間が切り替わるたびに液晶に印加する電圧の絶対値を大きくする
ことを特徴とする液晶表示装置の駆動方法。
【請求項２】
分割する各期間の長さを等しくする請求項１に記載の液晶表示装置の駆動方法。
【請求項３】
分割した各期間が切り替わるたびに、選択した走査電極の電位と信号電極の電位との高低関係を逆にする請求項１または請求項２に記載の液晶表示装置の駆動方法。
【請求項４】
分割した各期間が切り替わるたびに、選択する走査電極の電位を、所定の基準電位より高い正電位と所定の電位より低い負電位とに交互に設定し、
選択期間内で選択した走査電極の電位を正電位とする期間の実効値電圧と、選択期間内で選択した走査電極の電位を負電位とする期間の実効値電圧との差に応じて、非選択行の走査電極の電位を基準電位からずらして設定する
請求項３に記載の液晶表示装置の駆動方法。
【請求項５】
ｎを自然数としたときに、全ての走査電極を１回ずつ選択する走査電極の走査をｎ回行うたびに、選択した走査電極の電位と信号電極の電位との高低関係を逆にする請求項１または請求項２に記載の液晶表示装置の駆動方法。
【発明の詳細な説明】
【０００１】
【発明の属する技術分野】
本発明は、液晶表示装置の駆動方法に関し、特に、駆動電圧が高い液晶を用いた液晶表示装置の駆動方法に関する。
【０００２】
【従来の技術】
カイラルネマチック液晶（コレステリック液晶）、強誘電性液晶等は、メモリ性液晶として知られている。これらのメモリ性液晶は、しきい値以上の電圧が印加されると所定の配向状態に遷移する。そして、その配向状態に遷移した後に電圧が印加されなくても遷移後の配向状態を維持し続けるという特徴を有する。従って、メモリ性液晶を備える液晶表示装置では、表示を書き換えるときに液晶に電圧を印加すればよい。電圧を印加して所望の表示を書き込んだ後は、電圧を印加しなくても書き込んだ表示を維持することができる。
【０００３】
一対の平行な基板間にカイラルネマチック液晶（コレステリック液晶）を挟持し、液晶のディレクタが一定周期毎に回転するねじれ構造のねじれの中心軸（ヘリカル軸と呼ぶ。）が基板に対して平均的に垂直方向になるように配列させると、特定の波長の光を反射する。この状態をプレナー状態という。また、複数の液晶ドメインのヘリカル軸が基板に対してランダムな方向を向くと、特定の波長の光を反射しなくなる。この状態をフォーカルコニック状態という。基板の背面に吸収層を設け、液晶をフォーカルコニック状態にすると吸収層の色の表示が得られる。カイラルネマチック液晶等をプレナー状態やフォーカルコニック状態にするには、それぞれ所定の電圧を印加すればよい。プレナー状態やフォーカルコニック状態になった液晶は、次に電圧が印加されるまでその状態を維持する。
【０００４】
また、強誘電性液晶の場合、所定の電圧が印加されると、強誘電性液晶分子の向きが変化する。図８は、電圧印加にともなう強誘電性液晶分子の挙動を示す模式図である。図８の左側に示す状態が強誘電性液晶分子の初期配向状態であるものとする。初期配向状態において各液晶分子は同じ方向を向く。初期配向状態の強誘電液晶にしきい値以上の電圧（ここでは正電圧とする）を印加すると、図８の右側に示すように液晶分子の向きが変化する。電圧の印加を停止しても強誘電性液晶は、図８の右側の配向状態を維持する。また、この状態の強誘電性液晶にしきい値以上の負電圧を印加すると強誘電性液晶は初期配向状態に戻り、電圧印加を停止した後も初期配向状態を維持する。強誘電性液晶を用いて表示を行う場合、互いに偏光軸が直交する二枚の偏光板の間に強誘電性液晶を配置し、印加電圧を変化させて液晶分子の向きを制御する。
【０００５】
これらのメモリ性液晶の駆動電圧は、ネマチック液晶に比べると高い。また、図８に示す二つの液晶分子の状態を実現できる液晶として反強誘電性液晶がある。この反強誘電性液晶も、ネマチック液晶に比べると駆動電圧が高い。
【０００６】
【発明が解決しようとする課題】
カイラルネマチック液晶、強誘電性液晶および反強誘電性液晶等のように、駆動電圧として高い電圧を用いる必要がある場合には、以下のような問題が生じていた。図９（ａ）は、液晶に印加される電圧波形の例を示す説明図である。また、図９（ｂ）は、電圧印加に伴って生じる電流の変化を示す説明図である。液晶に電圧を印加すると、電圧印加直後に過渡電流が流れる。そして、液晶に高電圧（例えば２０Ｖ）を印加すると、図９（ｂ）に示すように電圧印加直後に生じる過渡電流も多くなる。すると、液晶パネル内で発泡が生じやすくなる。発泡は、液晶分子の向きが不均一である部分（液晶セル内に混入してしまった小さな異物の周囲やセルギャップにむらが生じた箇所等）、比抵抗の低い部分、スペーサの周囲等で生じる。以下、この発泡を発熱発泡と記す。発熱発泡は、耐湿試験において顕著に現れる。
【０００７】
本発明は、比較的高い電圧で液晶表示装置を駆動しなければならない場合であっても、発熱発泡の発生を防止して良好な表示品位が得られる液晶表示装置の駆動方法を提案することを目的とする。
【０００８】
【課題を解決するための手段】
本発明の態様１は、複数の走査電極と複数の信号電極との間に液晶を挟持する液晶表示装置の駆動方法であって、走査電極を選択しながら走査電極を走査し、選択した走査電極と各信号電極との間の液晶を所望の状態にするために液晶に電圧を印加する場合に、走査電極の選択期間を複数の期間に分割し、分割した各期間が切り替わるたびに液晶に印加する電圧の絶対値を大きくすることを特徴とする液晶表示装置の駆動方法を提供する。
【０００９】
本発明の態様２は、選択期間から分割する各期間の長さを等しくする液晶表示装置の駆動方法を入力する。
【００１０】
本発明の態様３は、分割した各期間が切り替わるたびに、選択した走査電極の電位と信号電極の電位との高低関係を逆にする液晶表示装置の駆動方法を提供する。
【００１１】
本発明の態様４は、分割した各期間が切り替わるたびに、選択する走査電極の電位を、所定の基準電位より高い正電位と所定の電位より低い負電位とに交互に設定し、選択期間内で選択した走査電極の電位を正電位とする期間の実効値電圧と、選択期間内で選択した走査電極の電位を負電位とする期間の実効値電圧との差に応じて、非選択行の走査電極の電位を基準電位からずらして設定する液晶表示装置の駆動方法を提供する。
【００１２】
本発明の態様５は、ｎを自然数としたときに、全ての走査電極を１回ずつ選択する走査電極の走査をｎ回行うたびに、選択した走査電極の電位と信号電極の電位との高低関係を逆にする液晶表示装置の駆動方法を提供する。
【００１３】
【発明の実施の形態】
以下、本発明の実施の形態を図面を参照して説明する。図１に本発明の駆動方法で駆動される液晶表示装置の例を示す模式的断面図を示す。図１に示す液晶表示装置は、ガラス基板１Ａ、１Ｂ、電極２Ａ、２Ｂ、高分子薄膜３Ａ、３Ｂ、および液晶組成物（カイラルネマチック液晶）４が配置され、フォーカルコニック状態とプレナー状態を安定に表示する液晶パネルである。また、液晶表示装置の背面側には黒色の光吸収体５が配置される。電極２Ａ、２Ｂはそれぞれ透明電極である。以下の説明では、電極２Ａが信号電極であり、電極２Ｂが走査電極であるものとする。なお、液晶組成物４と電極２Ａ、２Ｂとが直接接する構成であってもよい。
【００１４】
図２は、液晶表示装置を駆動する駆動装置の構成例を示すブロック図である。コントローラ１１は、走査電極ドライバ１２に各走査電極２Ｂの電位を設定するように指示し、信号電極ドライバ１３に各信号電極２Ａの電位を設定するように指示する。走査電極ドライバ１２および信号電極ドライバ１３は、コントローラ１１の指示に従い、各電極の電位を設定する。電源装置１４は、走査電極ドライバ１２および信号電極ドライバ１３に必要な電圧を供給する。コントローラ１１は、走査電極ドライバ１２および信号電極ドライバ１３によって各電極の電位を切り替えて、各画素に配置されたカイラルネマチック液晶４をプレナー状態やフォーカルコニック状態に移行させる。以下、プレナー状態とフォーカルコニック状態による二値表示を行う場合を例に説明する。
【００１５】
次に、液晶表示装置１５に表示を書き込むときの駆動装置の動作について説明する。駆動装置は、走査電極２Ｂを一本ずつ選択しながら線順次走査し、選択行の画素に配置されたカイラルネマチック液晶４をプレナー状態またはフォーカルコニック状態に移行させるための電圧を印加する。駆動装置は、各選択期間を複数の期間に分割する。そして、一つの選択期間から分割した各期間では、期間が切り替わると選択行の画素に印加される電圧の高さが高くなるように（電圧の絶対値が大きくなるように）液晶表示装置１５を駆動する。
【００１６】
図３は、走査電極および信号電極に設定される電位の変化および液晶に印加される電圧の変化の例を示す。走査電極ドライバ１２は、コントローラ１１の制御に従って、各走査電極を順次選択する。一本の走査電極の選択期間において、走査電極ドライバ１２は選択行の走査電極および非選択行の走査電極の電位をそれぞれ設定する。
【００１７】
選択行の走査電極の電位を設定する場合、走査電極ドライバ１２は、コントローラ１１に従い選択期間を複数の期間に分割する。そして、分割した各期間毎に所定の基準電位（ここでは０Ｖとする）と選択行の電位との差（絶対値）が大きくなるように選択行の電位を設定する。図３に示す例では、選択期間をＴ１〜Ｔ３の期間に分割し、各期間毎に選択行の電位をＶ１，−Ｖ２，Ｖ３に設定する。ただし、Ｖ１＜Ｖ２＜Ｖ３である。なお、選択期間を分割した各期間Ｔ１〜Ｔ３の長さは任意である。
【００１８】
また、信号電極ドライバ１３は、選択行の画素をプレナー状態またはフォーカルコニック状態にするように、各信号電極の電位を設定する。図３に示す電位±Ｖｐは、選択した走査電極と信号電極との間の液晶をプレナー状態にするときの信号電極の電位であり、±Ｖｆはフォーカルコニック状態にするときの信号電極の電位である。信号電極ドライバ１３は、走査電極ドライバ１２と同様に選択期間を複数の期間に分割し、各期間毎に信号電極の電位をＶｐや−Ｖｐ（または、Ｖｆや−Ｖｆ）に設定する。図３では、各期間毎に電位を−Ｖｐ，Ｖｐ，−Ｖｐ（または−Ｖｆ，Ｖｆ，−Ｖｆ）と定める場合の例を示す。なお、Ｖｐ、Ｖｆの値は、電圧Ｖｐ，Ｖｆを液晶４に印加しても液晶の状態に影響を及ぼさない値として定める。
【００１９】
この結果、選択行の各画素には、期間Ｔ１においてＶ１＋Ｖｐ（またはＶ１＋Ｖｆ）の電圧が印加される。続く期間Ｔ２では−Ｖ２−Ｖｐ（または−Ｖ２−Ｖｆ）の電圧が印加される。さらに、次の期間Ｔ３ではＶ３＋Ｖｐ（またはＶ３＋Ｖｆ）の電圧が印加される。このように、期間がＴ２，Ｔ３と切り替わる度に、画素に印加される電圧の高さ（絶対値）を大きくする。
【００２０】
図４（ａ）は、図３に示す選択期間において液晶に印加される電圧を示す。また、図４（ｂ）は、この電圧に伴って生じる電流量の変化を示す。なお、図４では、選択期間以外で印加される電圧は無視して０Ｖとした。各期間毎に段階的に電圧を上げていくと、一度に高い電圧が印加されなくて済む。従って、印加電圧を変化させる度にわずかな過渡電流が生じるものの、電圧の変化量が少ないため図９に示すような多くの過渡電流が生じることはない。このため、液晶表示装置１５の内部において、液晶分子の向きが不均一である部分や、水分や不純物によって局所的に比抵抗が低下している部分、あるいはスペーサの周囲等で発熱発泡の発生を防止することができる。その結果、良好な表示品位が得られる。
【００２１】
図３に示す例では、選択期間を分割して得られる各期間の長さを任意としたが、各期間の長さを等しくしてもよい。また、図３では、選択期間を三つの期間に分割する場合を示したが分割数は三に限定されない。
【００２２】
選択した走査電極の電位が信号電極の電位より高くなるように駆動することを正極性駆動という。選択した走査電極の電位が信号電極の電位より低くなるように駆動することを負極性駆動という。また、所定の基準電位（本実施の形態では０Ｖ）より高い電位を正電位とし、所定の基準電位より低い電位を負電位とする。走査電極ドライバ１２は、正極性駆動時には、選択した走査電極の電位を正電位に設定し、負極性駆動時には、選択した走査電極の電位を負電位に設定する。
【００２３】
正極性駆動と負極性駆動とを切り替えると、いずれか一方の駆動時の実効値電圧（実効値として表される電圧）がもう一方の駆動時の実効値電圧より高くなる場合がある。図５は、選択期間を四等分し各期間Ｔにおいて液晶に電圧Ｖ１１，−Ｖ１２，Ｖ１３，−Ｖ１４を印加するときの駆動波形である。ただし、Ｖ１１＜Ｖ１２＜Ｖ１３＜Ｖ１４である。この場合、負極性駆動時の実電圧（−Ｖ１２，−Ｖ１４）の方が正極性駆動時の実電圧（Ｖ１１，Ｖ１３）より高いので、実効値電圧も負極性駆動の場合の方が高くなる。非選択行の走査電極の電位を基準電位からずらすことによって、１フレーム期間全体における実効値電圧の偏りを防止してもよい。すなわち、選択期間において負極性駆動時の実効値電圧が高くなる場合には、非選択期間で正極性駆動時の実効値電圧が高くなるようにして、１フレーム期間全体ではいずれか一方の実効値が高くなることがないようにしてもよい。
【００２４】
矩形波で表される電圧の実効値の算出について説明する。ある期間内での正極性駆動時（選択行の電位を正電位とする期間）の実効値電圧を算出する場合、正極性駆動時の実電圧毎に、正極性駆動時間に対する各実電圧の印加時間の比を求め、その値に各実電圧の二乗を乗じる。各実電圧毎にこの値を算出し、その総和の平方根を求めることによって、正極性駆動時の実効値電圧が得られる。例えば、図５に示す選択期間内における正極性駆動時間は２・Ｔである。この時間に対する実電圧Ｖ１１の印加時間の比は、Ｔ／（２・Ｔ）＝１／２である。この値に実電圧Ｖ１１の二乗を乗じると（１／２）・Ｖ１１２となる。実電圧Ｖ１３についても同様に計算を行うと（１／２）・Ｖ１３２となる。実電圧毎に計算した結果の総和の平方根を求めると、正極性駆動時の実効値電圧（Ｖｒｍｓ＋と記す）は式１に示すようになる。
【００２５】
Ｖｒｍｓ＋＝√（（Ｖ１１２＋Ｖ１３２）／２）　　　　　　　　　　　　式１
【００２６】
負極性駆動時の実効値電圧の算出も同様に行うことができる。すなわち、ある期間における負極性駆動時（選択行の電位を負電位とする期間）の実効値電圧を算出する場合、負極性駆動時の実電圧毎に、負極性駆動時間に対する各実電圧の印加時間の比を求め、その値に各実電圧の二乗を乗じる。実電圧毎にこの値を算出し、その総和の平方根を求めることによって、負極性駆動時の実効値電圧（Ｖｒｍｓ−と記す）が得られる。図５に示す選択期間内におけるＶｒｍｓ−を求めると式２に示すようになる。
【００２７】
Ｖｒｍｓ−＝√（（Ｖ１２２＋Ｖ１４２）／２）　　　　　　　　　　　　式２
【００２８】
図６は、非選択期間における走査電極の電位を基準電位（０Ｖ）よりもＶｎだけ高くした場合の駆動波形を示す。１フレーム期間内の非選択期間における走査電極の電位を高くすることにより、非選択期間では正極性駆動時の実効値電圧が負極性駆動時の実効値電圧よりも高くなる。この結果、選択期間内では負極性駆動時の実効値電圧が正極性駆動時の実効値電圧より高くても、１フレーム期間全体としては偏りがなくなる。Ｖｎの算出法について図５，６を例に説明する。まず、選択期間内におけるＶｒｍｓ＋とＶｒｍｓ−との差（Ａｒｍｓとする）を求める。Ａｒｍｓが、正極性駆動時の実効値電圧と負極性駆動時の実効値電圧との差になる。非選択期間（Ｔｎ）での実効値電圧がＡｒｍｓだけ高くなれば、１フレーム期間全体としての偏りがなくなる。
【００２９】
非選択期間Ｔｎ全体にわたって電位Ｖｎを上昇させたことによる実効値電圧の増加分を算出する。非選択期間Ｔｎに対する電位Ｖｎを上昇させた期間の比はＴｎ／Ｔｎ＝１である。この値に上昇させた電位（電圧）Ｖｎの二乗を乗じるとＶｎ２となる。ここでは、電位（電圧）Ｖｎを上昇させる非選択期間を一つの期間として考えているので、Ｖｎ２の平方根を算出すれば、電位Ｖｎの上昇に伴う実効値の増加分が求められる。この増加分が、Ａｒｍｓに等しければ実効値の偏りがなくなる。従って、基準電位に対してずらすべき電位Ｖｎは、式３に示す値になる。
【００３０】
Ｖｎ＝√（Ａｒｍｓ２）　　　　　　　　　　　　　　　　　　　　　式３
【００３１】
選択期間内で負極性駆動時の実効値電圧の方が高ければ、非選択期間における走査電極（非選択行の走査電極）の電位を基準電位よりＶｎ高くすればよい。また、選択期間内で正極性駆動時の実効値電圧の方が高ければ、非選択期間における走査電極（非選択行の走査電極）の電位を基準電位よりＶｎ低くすればよい。
【００３２】
なお、このように駆動した場合、非選択行の画素には±Ｖｆ＋Ｖｎあるいは±Ｖｐ＋Ｖｎの電圧が印加されるが、これらの電圧が液晶４の状態に影響を及ぼさない値となるように、ＶｐやＶｆを定める。
【００３３】
図３，６に示す駆動波形では、選択期間内で正極性駆動と負極性駆動とを切り替える場合の例を示したが、１フレーム期間毎に正極性駆動と負極性駆動とを切り替えてもよい。この場合の駆動波形の例を図７に示す。最初のフレーム期間では、コントローラ１１は、走査電極ドライバ１２および信号電極ドライバ１３に正極性駆動を指示する。この場合、信号電極ドライバ１３は、選択期間中、各信号電極の電位を−Ｖｐまたは−Ｖｆに設定する。一方、走査電極ドライバ１２は、コントローラ１１に従い選択期間を複数の期間に分割し、分割した各期間毎に基準電位と選択行の電位との差（絶対値）が大きくなるように選択行の電位を設定する。このとき、各期間毎に設定される電位は、正電位である。この結果、選択行の画素に印加される電圧は、分割した各期間が切り替わるたびに極性を維持したまま高くなる。
【００３４】
次のフレーム期間では、コントローラ１１は、走査電極ドライバ１２および信号電極ドライバ１３に負極性駆動を指示する。この場合、信号電極ドライバ１３は、選択期間中、各信号電極の電位をＶｐまたはＶｆに設定する。一方、走査電極ドライバ１２は、コントローラ１１に従い選択期間を複数の期間に分割し、分割した各期間毎に基準電位と選択行の電位との差（絶対値）が大きくなるように選択行の電位を設定する。ただし、各期間毎に設定される電位は、負電位である。この結果、選択行の画素に印加される電圧は、分割した各期間が切り替わるたびに極性を維持したまま高くなる。なお、図７では、１フレーム期間毎に正極性駆動と負極性駆動とを切り替える場合を示したが、ｎフレーム期間毎（ｎは自然数）に切り替えてもよい。また、１フレーム期間では、全ての走査電極を１回ずつ選択する走査電極の走査が１回行われる。
【００３５】
また、ここでは二値表示を行う場合の例を示したが、信号電極への設定電位を複数も受けて、中間調表示を行ってもよい。例えば、図３に示す例において、信号電極ドライバ１３が±Ｖｐ，±Ｖｆ以外に、Ｖｆ以上Ｖｐ以下（または、−Ｖｐ以上−Ｖｆ以下）の電位も設定し、プレナー状態とフォーカルコニック状態の間の中間調表示を行ってもよい。このように信号電極の電位を中間調に応じた電位に設定する場合においても、分割した各期間が切り替わる毎に印加電圧の高さを高くすることで、発熱発泡を防止できる。
【００３６】
図１では、液晶組成物４としてカイラルネマチック液晶を用いる場合を示したが、液晶組成物４はカイラルネマチック液晶に限定されない。液晶組成物４として、コレステリック液晶、強誘電性液晶または反強誘電性液晶等を用いてもよい。高い駆動電圧（例えば１５Ｖ以上の駆動電圧）を必要とする液晶を液晶組成物４として用いた液晶表示装置に、本発明の駆動方法を適用すれば、発熱発泡を防止して良好な表示品位を得ることができる。また、従来の駆動方法で駆動しても発熱発泡が生じないＴＮ液晶やＳＴＮ液晶を備えた液晶表示装置に本発明の駆動方法を適用してもよい。なお、液晶表示装置１５の構成は、液晶組成物４に合わせて変更すればよい。例えば、強誘電性液晶または反強誘電性液晶を用いる場合、液晶パネルには光吸収体５を設けず、各ガラス基板１Ａ、１Ｂに偏光板を設ける。
【００３７】
また、液晶組成物４としてカイラルネマチック液晶を用いた場合、選択行の各画素にはプレナー状態にするための電圧とフォーカルコニック状態にするための電圧のいずれか一方を印加する。液晶組成物４として強誘電性液晶を用いた場合、選択行の各画素には配向状態を変えるための電圧あるいは、所定のしきい値以下の電圧を印加して所望の画像を表示する。選択行の画素に所定のしきい値以下の電圧を印加する場合、選択する走査電極との電位差が所定のしきい値以下になるように信号電極の電位を設定すればよい。
【００３８】
【実施例】
［例１］面抵抗２０ΩのＩＴＯ（Ｉｎｄｉｕｍ　Ｔｉｎ　Ｏｘｉｄｅ）付ガラス基板を所定の表示パターンにエッチングし、一対のガラス基板を作成した。各基板に、ＭＩＣおよび配向膜を転写、焼成して薄膜を生成した。なお、ＭＩＣとは、ミドルコート（ｍｉｄｄｌｅ　ｃｏａｔ）膜の略称であり、絶縁膜である。この一対の基板の周辺にシール材を配設して空セルを作成した。さらに、この空セルにカイラルネマチック液晶を注入し、液晶表示装置を作成した。
【００３９】
この液晶表示装置に対して耐湿試験を行った。耐湿試験は、温度８０℃、湿度９０％の槽に液晶表示装置を静置し、予め定めた時間が経過したときに液晶表示装置を槽から取り出して、良好な表示が得られるか否かを確認することにより行った。槽に入れる直前に、図３，６，７に示す駆動波形で液晶表示装置に画像を表示させたところ良好な表示が得られた。また、槽に液晶表示装置を静置してから７２時間後、１４４時間後、３００時間後、５０４時間後に槽から液晶表示装置を取り出して、図３，６，７に示す駆動波形で画像を表示させた。いずれの場合も良好な表示が得られた。また、コントラストも良好であった。
【００４０】
［例２］面抵抗４ΩのＩＴＯ付ガラス基板を用いて例１と同様に液晶表示装置を作成し、例１と同様に耐湿試験を行った。ただし、画像を表示させるときには、図３に示す駆動波形で駆動した。例１の場合と、同様に良好な表示が得られた。また、コントラストも良好であった。このことから、ＩＴＯの抵抗値を低くした場合であっても、良好な表示が得られることがわかる。
【００４１】
［比較例］例１と同じ液晶表示装置を作成し、例１と同様に耐湿試験を行った。ただし、画像を表示させるときには、液晶への印加電圧を段階的に変化させるのではなく、図９（ａ）に示す波形で電圧が印加されるように駆動した。この場合、槽に液晶表示装置を入れる直前と、槽に入れてから７２時間後には良好な表示が得られたものの、１４４時間後に駆動したときには発泡が発生し、良好な表示が得られなかった。
【００４２】
例１，２および比較例の結果を表１に示す。表１において、「○」は発泡が発生せず良好な表示が得られたことを示す。「×」は発泡が発生し良好な表示が得られなかったことを示す。
【００４３】
【表１】
2004004199.tif 000003
【００４４】
表１に示すように、本発明の駆動方法で液晶表示装置を駆動することにより、発熱発泡を抑制し、長期間表示品位を保たせることができることがわかる。
【００４５】
【発明の効果】
本発明の駆動方法によれば、液晶に駆動電圧を印加するときに多くの過渡電流が流れることを防止し、液晶表示装置の内部において、液晶分子の向きが不均一である部分や、水分や不純物によって局所的に比抵抗が低下している部分、あるいはスペーサの周囲等で発熱発泡の発生を防止することができる。この結果、良好な表示品位で画像を表示することができる。
【図面の簡単な説明】
【図１】液晶表示装置の例を示す模式的断面図。
【図２】液晶表示装置を駆動する駆動装置の構成例を示すブロック図。
【図３】本発明の駆動方法による駆動波形の例を示す説明図。
【図４】液晶への印加電圧および印加電圧により生じる電流の変化を示す説明図。
【図５】本発明の駆動方法による駆動波形の例を示す説明図。
【図６】本発明の駆動方法による駆動波形の例を示す説明図。
【図７】本発明の駆動方法による駆動波形の例を示す説明図。
【図８】電圧印加にともなう強誘電性液晶分子の挙動を示す模式図。
【図９】従来の駆動方法による液晶への印加電圧により生じる電流の変化を示す説明図。
【符号の説明】
１Ａ、１Ｂ　ガラス基板
２Ａ、２Ｂ　電極
４　液晶組成物
１１　コントローラ
１２　走査電極ドライバ
１３　信号電極ドライバ
１４　電源装置
１５　液晶表示装置（液晶パネル）
【図１】
2004004199.tif 000004
【図２】
2004004199.tif 000005
【図３】
2004004199.tif 000006
【図４】
2004004199.tif 000007
【図５】
2004004199.tif 000008
【図６】
2004004199.tif 000009
【図７】
2004004199.tif 000010
【図８】
2004004199.tif 000011
【図９】
2004004199.tif 000012